(57)【要約】【課題】積み重ねられた小束に帯を巻く際に、各小束がずれてしまうのを防止する大束帯封機を提供する。【解決手段】締板７ａは、スライド規制板部材１５に対して垂直な方向にスライド規制板部材１５に向かって下向きに傾斜している。このため、大束５を締板７ａ上に載置すると、大束５は、締板７ａの傾斜によってスライド規制板部材１５に寄りかかるようになる。この状態では、スライド規制板部材１５は、各小束４が締板７ａに対して平行な方向にスライドすることを規制している。スライド規制板部材１５は締板７ａに対して垂直であるので、各小束４は、その積み重なり方向に対して垂直な方向に互いにずれていない状態で維持される。【選択図】図３
2015174695.tif 000002
【特許請求の範囲】
【請求項１】
上下方向に間隔をあけて設けられた回転可能な一対の締板と、
複数の紙葉類を束ねた小束を複数束ねた大束を下側の締板上に載置した際に、各小束がスライドすることを規制するスライド規制板部材であって、前記下側の締板に対して垂直に設けられたスライド規制板部材と
を備え、
前記大束を下側の締板上に載置した後、前記一対の締板で前記大束を挟んで該大束を回転させて該大束に帯を巻く大束帯封機であって、
前記下側の締板は、前記スライド規制板部材に対して垂直な方向に該スライド規制板部材に向かって下向きに傾斜している大束帯封機。
【発明の詳細な説明】
【技術分野】
【０００１】
この発明は大束帯封機に係り、特に、紙幣のような紙葉類の小束をさらに束ねて大束とし、この大束に帯を巻く装置に関する。
【背景技術】
【０００２】
大量の紙幣をまとめるには、通常、１００枚の紙幣を帯で施封して１つの札束（小束）とし、この小束を複数（例えば１０束）束ねて大束としてさらに帯で施封する。大束を帯で施封するには、大束に対して紙幣の長辺方向に横帯を巻いた後、紙幣の短辺方向に縦帯を巻くことにより行われる。横帯及び縦帯を巻くためには、帯を供給しながら大束を回転させる動作が必要である。例えば、特許文献１に記載された従来の大束帯封機では、札乗せテーブル上に複数の小束を載せて大束とした後、一対のクランプ部材で当該大束を揃えながら挟み、帯を供給しながら、クランプ部材で挟んだ大束を回転させることにより、大束の帯封動作が行われる。
【先行技術文献】
【特許文献】
【０００３】
【特許文献１】特開平８−５８７２３号公報
【発明の概要】
【発明が解決しようとする課題】
【０００４】
しかしながら、このような大束帯封機では、札乗せテーブル上に載せた複数の小束は水平な状態で積み重ねられているので、一対のクランプ部材でこれらを挟む際に、各小束が前方に倒れるようにしてずれてしまう。この状態で大束が一対のクランプ部材によって挟まれると、紙幣に対して帯が斜めに巻かれてしまうという問題点があった。
【０００５】
この発明はこのような問題点を解決するためになされたもので、積み重ねられた小束に帯を巻く際に、各小束がずれてしまうのを防止する大束帯封機を提供することを目的とする。
【課題を解決するための手段】
【０００６】
この発明に係る大束帯封機は、上下方向に間隔をあけて設けられた回転可能な一対の締板と、複数の紙葉類を束ねた小束を複数束ねた大束を下側の締板上に載置した際に、各小束がスライドすることを規制するスライド規制板部材であって、下側の締板に対して垂直に設けられたスライド規制板部材とを備え、大束を下側の締板上に載置した後、一対の締板で大束を挟んで大束を回転させて大束に帯を巻く大束帯封機であって、下側の締板は、スライド規制板部材に対して垂直な方向にスライド規制板部材に向かって下向きに傾斜している。
【発明の効果】
【０００７】
この発明によれば、複数の紙葉類を束ねた小束を複数束ねた大束を挟む回転可能な一対の締板のうち、大束を下側の締板上に載置した際に、各小束がスライドすることを規制するスライド規制板部材が下側の締板に対して垂直に設けられ、下側の締板は、スライド規制板部材に対して垂直な方向にスライド規制板部材に向かって下向きに傾斜しているので、下側の締板に大束を載置すると、大束を構成する各小束は、下側の締板の傾斜によってスライド規制板部材に寄りかかるようになる。これにより、各小束はずれることなく束ねられた状態に維持される。この結果、下側の締板と上側の締板とで大束を挟んでも各小束がずれることがないので、積み重ねられた小束に帯を巻く際に、各小束がずれてしまうのを防止することができる。
【図面の簡単な説明】
【０００８】
【図１】この発明の実施の形態に係る大束帯封機の斜視図である。
【図２】この実施の形態に係る大束帯封機の載置空間内の主要部の斜視図であって、大束に帯を巻く際の当該主要部の斜視図である。
【図３】図２の状態を、紙幣の長手方向から見た概略側面図である。
【図４】この実施の形態に係る大束帯封機で大束に帯を巻く動作を説明するための、載置空間内の主要部の平面図である。
【図５】この実施の形態に係る大束帯封機で大束に帯を巻く動作を説明するための、載置空間内の主要部の正面図である。
【発明を実施するための形態】
【０００９】
以下、この発明の実施の形態を添付図面に基づいて説明する。
図１に示されるように、大束帯封機１は筐体２を備えている。筐体２の正面には、紙葉類である紙幣１００枚を帯で施封した１０束の小束４を束ねた大束５が載置される載置空間６が設けられている。載置空間６内には、大束５を挟む一対の締板７ａ，７ｂが上下方向に間隔をあけて設けられている。大束５を載置空間６内に載置するには、下側の締板７ａ上に大束５を載置し、締板７ａ，７ｂ間に大束５を挟む。締板７ａ，７ｂ間に大束５が挟まれるとき、大束５は、筐体２の前側から後側に向かって下向きに傾斜した状態となっている。筐体２の上部の後方には、大束５を帯封する帯８のロール９が設けられている。
【００１０】
図２は、一対の締板７ａ，７ｂが大束５を挟んでいる状態の斜視図を示している。下側の締板７ａを左右方向から挟むように、締板７ａに垂直な板状の部材である２つのスライド規制板部材１５が設けられている。締板７ａは、スライド規制板部材１５に対して垂直な方向にスライド規制板部材１５に向かって下向きに傾斜している。このため、大束５を締板７ａ上に載置すると、大束５は、図３に示されるように、締板７ａの傾斜によってスライド規制板部材１５に寄りかかるようになる。この状態では、スライド規制板部材１５は、各小束４が締板７ａに対して平行な方向にスライドすることを規制している。スライド規制板部材１５は締板７ａに対して垂直であるので、各小束４は、その積み重なり方向に対して垂直な方向に互いにずれていない状態で維持される。
【００１１】
図２に示されるように、上側の締板７ｂ及び下側の締板７ａは可動であり、締板７ａ上に大束５を載置した後、締板７ｂと締板７ａとが互いに近づくように動くことにより、大束５が一対の締板７ａ，７ｂによって挟まれる。この際、各小束４は締板７ａに対して平行な方向にスライドすることがないので、各小束４が互いにずれていない状態で、一対の締板７ａ，７ｂ間に大束５が挟まれるようになる。尚、締板７ａ，７ｂにはそれぞれ、紙幣の長辺方向と直行する方向に延びる押さえ部７ａ１，７ｂ１が設けられ、大束５は実際には、これら押さえ部７ａ１，７ｂ１間に挟まれる。一対の締板７ａ，７ｂは、大束５を挟んだ状態で回転可能である。
【００１２】
大束５の一方の端部付近に、ロール９（図１参照）から供給される帯８（図１参照）を供給する帯供給部１０が設けられている。締板７ｂには、押さえ部７ｂ１に対して帯供給部１０とは反対側に、紙幣の長辺方向と直行する方向に延びる帯押さえ板１３が設けられている。
【００１３】
図４に示されるように、大束５に帯８を巻くためには、帯供給部１０から供給された帯８が押さえ部７ｂ１の上を通った後に、帯押さえ板１３と大束５との間を通って、帯押さえ板１３が帯８を押さえた状態で、一対の締板７ａ，７ｂで大束５を挟む。帯供給部１０から帯８を供給しながら一対の締板７ａ，７ｂが回転すると、図５に示されるように、大束５に帯８が横帯として巻かれる。公知の技術によって、帯８の重なった部分を接着すると共に当該接着部分と帯供給部１０との間で帯８を切断して、大束５への横帯の施封が完了する。
【００１４】
次に、横帯が巻かれた大束５を、一対の締板７ａ，７ｂから取り外し、紙幣の長辺方向が押さえ部７ａ１，７ｂ１と並行となるようにして、大束５を一対の締板７ａ，７ｂ間に挟む。これ以降は、横帯を巻いた時と同様に、帯供給部１０から帯８を供給しながら一対の締板７ａ，７ｂが回転することにより、大束５に帯８が縦帯として巻かれる。これにより、大束５の帯封が完了する。
【００１５】
このように、複数の紙幣を束ねた小束４を複数束ねた大束５を挟む回転可能な一対の締板７ａ，７ｂのうち、大束５を下側の締板７ａ上に載置した際に、各小束４がスライドすることを規制するスライド規制板部材１５が下側の締板７ａに対して垂直に設けられ、下側の締板７ａは、スライド規制板部材１５に対して垂直な方向にスライド規制板部材１５に向かって下向きに傾斜しているので、下側の締板７ａに大束５を載置すると、大束５を構成する各小束４は、下側の締板７ａの傾斜によってスライド規制板部材１５に寄りかかるようになる。これにより、各小束４はずれることなく束ねられた状態に維持される。この結果、下側の締板７ａと上側の締板７ｂとで大束５を挟んでも各小束４がずれることがないので、積み重ねられた小束４に帯８を巻く際に、各小束４がずれてしまうのを防止することができる。
【００１６】
この実施の形態では、締板７ａの傾斜角度について特定しなかったが、水平方向に対して０°から９０°までの範囲の任意の傾斜角度であってもよい。ただし、傾斜角度が０°に近いような小さな角度では、本発明の効果が小さく、傾斜角度が９０°に近いような大きな傾斜角度では、大束帯封機１が大型化したり、操作性が悪くなったりする。このため、傾斜角度は、１０°から３０°までの範囲が好ましい。
【００１７】
この実施の形態では、小束４及び大束５を構成する紙葉類は紙幣であったが、これに限定するものではない。薄い板状のものを重ねて束にできるものであれば、どのようなものであってもよい。
【符号の説明】
【００１８】
１  大束帯封機、４  小束、５  大束、７ａ，７ｂ  締板、８  帯、１５  スライド規制板部材。
【図１】
2015174695.tif 000003
【図２】
2015174695.tif 000004
【図３】
2015174695.tif 000005
【図４】
2015174695.tif 000006
【図５】
2015174695.tif 000007